(57)【要約】【課題】所定の品質よりも高い品質を有する映像を安定して提供することができる端末装置、伝送システム、伝送方法、及びプログラムを提供する。【解決手段】第１伝送方式を用いて通信を行う第１通信部と、第２伝送方式を用いて通信を行う第２通信部と、制御部と、を備え、前記制御部は、前記第１通信部を介して、第１品質を有する第１映像情報を受信し、前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成する。【選択図】図２
2019103094.tif 000002
【特許請求の範囲】
【請求項１】
第１伝送方式を用いて通信を行う第１通信部と、
第２伝送方式を用いて通信を行う第２通信部と、
制御部と、を備え、
前記制御部は、
前記第１通信部を介して、第１品質を有する第１映像情報を受信し
前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成する
端末装置。
【請求項２】
前記外部条件情報は、前記第２伝送方式の伝送品質を示し、
前記制御部は、
前記伝送品質が所定の伝送品質よりも低いとき前記第２映像情報を生成しない
請求項１記載の端末装置。
【請求項３】
前記制御部は、
前記外部条件情報として自装置の位置を含む領域における天候に関する天候情報を取得し、
前記天候情報が所定の天候を示すとき前記第２映像情報を生成しない
請求項１又は請求項２に記載の端末装置。
【請求項４】
前記制御部は、
前記外部条件情報として、自装置の移動状態情報を取得し、
前記移動状態情報が示す速度が所定の速度よりも高いとき前記第２映像情報を生成しない
請求項１又は請求項２に記載の端末装置。
【請求項５】
前記制御部は、
前記第２伝送方式を用いて接続された基地局装置から、当該基地局装置に接続された端末装置の数である接続数を前記外部条件情報として取得し。
前記接続数が所定の接続数よりも多いとき前記第２映像情報を生成しない
請求項１から請求項４のいずれか一項に記載の端末装置。
【請求項６】
前記制御部は、
前記外部条件情報が示す指標値が、前記差分映像情報の受信可否の判定の基準値を交差する頻度を計数し、前記頻度が所定の頻度よりも多いとき前記第２映像情報を生成しない
請求項１から請求項５のいずれか一項に記載の端末装置。
【請求項７】
第１伝送方式を用いて通信を行う第１通信部と、
第２伝送方式を用いて通信を行う第２通信部と、
前記第１通信部を介して第１品質を有する第１映像情報を受信し、前記第２通信部を介して差分映像情報を受信する通信処理部と、
前記第２伝送方式の伝送状態又は当該伝送状態に影響する条件を示す外部条件情報が、所定の条件を満たすか否かを判定する外部条件判定部と、
前記外部条件情報が前記所定の条件を満たすと前記外部条件判定部が判定するとき、前記差分映像情報と前記第１映像情報とから、前記第１品質よりも高い第２品質を有する第２映像情報を生成する映像処理部と、を備える
端末装置。
【請求項８】
端末装置と、第１基地局装置と、第２基地局装置とを備える伝送システムであって、
前記端末装置は、
第１伝送方式を用いて通信を行う第１通信部と、
第２伝送方式を用いて通信を行う第２通信部と、
制御部と、を備え、
前記制御部は、
前記第１通信部を介して、第１品質を有する第１映像情報を受信し
前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成し、
前記第１基地局装置は、
前記第１伝送方式を用いて通信を行う第１基地局通信部と、
第１基地局制御部と、を備え、
前記第１基地局制御部は、
前記第１基地局通信部を介して、前記第１映像情報を送信し、
前記第２基地局装置は、
前記第２伝送方式を用いて通信を行う第２基地局通信部と、
第２基地局制御部と、を備え、
前記第２基地局制御部は、
前記第２基地局通信部を介して、前記差分映像情報を送信する
伝送システム。
【請求項９】
端末装置と、第１基地局装置と、第２基地局装置とを備える伝送システムにおける伝送方法であって、
前記端末装置が、第１伝送方式を用いて通信を行う第１通信部を介して、第１品質を有する第１映像情報を前記第１基地局装置から受信する過程と、
前記端末装置が、第２伝送方式の伝送状態又は当該伝送状態に影響する条件を示す外部条件情報が所定の条件を満たすとき、前記第２伝送方式を用いて通信を行う第２通信部を介して前記第２基地局装置から受信される差分映像情報と前記第１映像情報とから、前記第１品質よりも高い第２品質を有する第２映像情報を生成する過程と、
を有する伝送方法。
【請求項１０】
第１伝送方式を用いて通信を行う第１通信部と、第２伝送方式を用いて通信を行う第２通信部とを備える端末装置のコンピュータに、
前記第１通信部を介して、第１品質を有する第１映像情報を受信する手順と、
前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成する手順と、
を実行させるためのプログラム。
【発明の詳細な説明】
【技術分野】
【０００１】
本発明は、端末装置、伝送システム、伝送方法、及びプログラムに関する。
【背景技術】
【０００２】
超高精細度テレビジョン（ＵＨＤＴＶ：Ｕｌｔｒａ  Ｈｉｇｈ  Ｄｅｆｉｎｉｔｉｏｎ  Ｔｅｌｅｖｉｓｉｏｎ）放送の実用化が開始され、高解像度映像コンテンツへの関心が高まりつつある。そのため、高解像度映像の通信での配信が期待されている。ＵＨＤＴＶで規格化されている解像度は、４Ｋと８Ｋの２種類である。４Ｋは、１フレームの画像を構成する画素数を水平方向３８４０画素×垂直方向２１６０（２１６０ｐ）とする解像度である。８Ｋは、１フレームの画像を構成する画素数を水平方向７６８０画素×垂直方向４３２０（４３２０ｐ）とする解像度である。映像の解像度が高いほど、送信元から送信される映像の情報量が多くなる。他方、あらゆる視聴者が高解像度映像を必要とするとは限られない。そのため、高解像度映像と通常の解像度を有する映像との差分である差分映像を、通常解像度映像とを並行して送信することが提案されてきた。
例えば、特許文献１には、第１の画質を有する第１の映像と差分映像をそれぞれ放送、通信で受信し、第１の映像と差分映像に基づき第１の画質よりも高い第２の画質を有する第２の映像を出力する電子機器について記載されている。
【０００３】
また、解像度が４Ｋである映像（以下、「４Ｋ映像」と呼ぶ）の伝送では、従来から普及している第４世代移動通信システム（４Ｇ：４ｔｈ  ｇｅｎｅｒａｔｉｏｎ  ｍｏｂｉｌｅ  ｎｅｔｗｏｒｋｓ）で規定されている通信速度でも可能である。解像度が８Ｋである映像（以下、「８Ｋ映像」と呼ぶ）と４Ｋ映像との差分映像の伝送では、４Ｇで規定されている通信速度では不足がちである。そのため、差分映像の伝送において、より高い通信速度を目標とする第５世代移動通信方式（５Ｇ：５ｔｈ  ｇｅｎｅｒａｔｉｏｎ  ｍｏｂｉｌｅ  ｎｅｔｗｏｒｋｓ）の採用が期待されている。
【先行技術文献】
【特許文献】
【０００４】
【特許文献１】特開２０１４−８２６７３号公報
【発明の概要】
【発明が解決しようとする課題】
【０００５】
しかしながら、通信速度の高速化のために、５Ｇでは４Ｇよりも高い周波数帯域の使用が予定されている。使用予定の周波数帯域は、例えば、２８ＧＨｚ帯、３９ＧＨｚ帯、７２ＧＨｚ帯などのミリ波帯である。これらの周波数帯域の電波は、より低い周波数帯域の電波よりも直進性が高く、基地局装置から電波が十分な強度をもって到達する領域（カバレッジ）が狭くなりがちである。そのため、差分映像の受信が安定しないことがある。そのような場合には、表示される映像の品質が頻繁に切り替わり、映像を視認するユーザに不快感を与えるおそれがある。
【０００６】
本発明は上記の点に鑑みてなされたものであり、所定の品質よりも高い品質をできるだけ担保しながら、品質が安定した映像を提供することができる端末装置、伝送システム、伝送方法、及びプログラムを提供する。
【課題を解決するための手段】
【０００７】
（１）本発明は上記の課題を解決するためになされたものであり、本発明の一態様は、第１伝送方式を用いて通信を行う第１通信部と、第２伝送方式を用いて通信を行う第２通信部と、制御部と、を備え、前記制御部は、前記第１通信部を介して、第１品質を有する第１映像情報を受信し、前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成する端末装置である。
【０００８】
（２）また、本発明の一態様は、上記の端末装置において、前記外部条件情報は、前記第２伝送方式の伝送品質を示し、前記制御部は、前記伝送品質が所定の伝送品質よりも低いとき前記第２映像情報を生成しない。
【０００９】
（３）また、本発明の一態様は、上記の端末装置において、前記制御部は、前記外部条件情報として自装置の位置を含む領域における天候に関する天候情報を取得し、前記天候情報が所定の天候を示すとき前記第２映像情報を生成しない。
【００１０】
（４）また、本発明の一態様は、上記の端末装置において、前記制御部は、前記外部条件情報として、自装置の移動状態情報を取得し、前記移動状態情報が示す速度が所定の速度よりも高いとき前記第２映像情報を生成しない。
【００１１】
（５）また、本発明の一態様は、上記の端末装置において、前記制御部は、前記第２伝送方式を用いて接続された基地局装置から、当該基地局装置に接続された端末装置の数である接続数を前記外部条件情報として取得し、前記接続数が所定の接続数よりも多いとき前記第２映像情報を生成しない。
【００１２】
（６）また、本発明の一態様は、上記の端末装置において、前記制御部は、前記外部条件情報が示す指標値が、前記差分映像情報の受信可否の判定の基準値を交差する頻度を計数し、前記頻度が所定の頻度よりも多いとき前記第２映像情報を生成しない。
【００１３】
（７）また、本発明の一態様は、第１伝送方式を用いて通信を行う第１通信部と、第２伝送方式を用いて通信を行う第２通信部と、前記第１通信部を介して第１品質を有する第１映像情報を受信し、前記第２通信部を介して差分映像情報を受信する通信処理部と、前記第２伝送方式の伝送状態又は当該伝送状態に影響する条件を示す外部条件情報が、所定の条件を満たすか否かを判定する外部条件判定部と、前記外部条件情報が前記所定の条件を満たすと前記外部条件判定部が判定するとき、前記差分映像情報と前記第１映像情報とから、前記第１品質よりも高い第２品質を有する第２映像情報を生成する映像処理部と、を備える端末装置である。
【００１４】
（８）また、本発明の一態様は、端末装置と、第１基地局装置と、第２基地局装置とを備える伝送システムであって、前記端末装置は、第１伝送方式を用いて通信を行う第１通信部と、第２伝送方式を用いて通信を行う第２通信部と、制御部と、を備え、前記制御部は、前記第１通信部を介して、第１品質を有する第１映像情報を受信し、前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成し、前記第１基地局装置は、前記第１伝送方式を用いて通信を行う第１基地局通信部と、第１基地局制御部と、を備え、前記第１基地局制御部は、前記第１基地局通信部を介して、前記第１映像情報を送信し、前記第２基地局装置は、前記第２伝送方式を用いて通信を行う第２基地局通信部と、第２基地局制御部と、を備え、前記第２基地局制御部は、前記第２基地局通信部を介して、前記差分映像情報を送信する伝送システムである。
【００１５】
（９）また、本発明の一態様は、端末装置と、第１基地局装置と、第２基地局装置とを備える伝送システムにおける伝送方法であって、前記端末装置が、第１伝送方式を用いて通信を行う第１通信部を介して、第１品質を有する第１映像情報を前記第１基地局装置から受信する過程と、前記端末装置が、第２伝送方式の伝送状態又は当該伝送状態に影響する条件を示す外部条件情報が所定の条件を満たすとき、前記第２伝送方式を用いて通信を行う第２通信部を介して前記第２基地局装置から受信される差分映像情報と前記第１映像情報とから、前記第１品質よりも高い第２品質を有する第２映像情報を生成する過程と、を有する伝送方法である。
【００１６】
（１０）また、本発明の一態様は、第１伝送方式を用いて通信を行う第１通信部と、第２伝送方式を用いて通信を行う第２通信部とを備える端末装置のコンピュータに、前記第１通信部を介して、第１品質を有する第１映像情報を受信する手順と、前記第２伝送方式の伝送状態又は当該伝送状態に影響する条件を示す外部条件情報が所定の条件を満たすとき、前記第２通信部を介して受信される差分映像情報と前記第１映像情報とから、前記第１品質よりも高い第２品質を有する第２映像情報を生成する手順と、を実行させるためのプログラムである。
【発明の効果】
【００１７】
本発明によれば、所定の品質よりも高い品質をできるだけ担保しながら、品質が安定した映像を提供することができる。
【図面の簡単な説明】
【００１８】
【図１】第１実施形態に係る伝送システムの一例を示す概念図である。
【図２】第１実施形態に係る端末装置の機能構成の一例を示すブロック図である。
【図３】第１実施形態に係る基地局装置の機能構成の一例を示すブロック図である。
【図４】第１実施形態に係る映像受信処理の一例を示すシーケンス図である。
【図５】第２実施形態に係る端末装置の機能構成の一例を示すブロック図である。
【図６】第２実施形態に係る映像受信処理の一例を示すフローチャートである。
【図７】第２実施形態に係る映像受信処理の他の例を示すフローチャートである。
【図８】第２実施形態に係る基地局装置の機能構成の一例を示すブロック図である。
【図９】第２実施形態の変形例に係る映像受信処理の一例を示すフローチャートである。
【図１０】第３実施形態に係る送信処理の一例を示すフローチャートである。
【発明を実施するための形態】
【００１９】
（第１の実施形態）
以下、図面を参照しながら本発明の第１の実施形態について説明する。
まず、本実施形態に係る伝送システムの一例である伝送システムＳ１について説明する。
【００２０】
図１は、本実施形態に係る伝送システムＳ１の一例を示す概念図である。
伝送システムＳ１は、端末装置１０と、第１基地局装置２０ａと、第２基地局装置２０ｂと、を含んで構成される。
端末装置１０は、第１基地局装置２０ａから第１伝送方式を用いて所定の第１品質を有する第１映像を示す映像情報（以下、「第１映像情報」と呼ぶ）を受信可能とし、第２基地局装置２０ｂから第２伝送方式を用いて差分映像情報を受信可能とする。差分映像情報は、第１映像情報よりも高い品質である所定の第２品質を有する第２映像を示す映像情報（以下、「第２映像情報」と呼ぶ）との差分（以下、「差分映像」と呼ぶ）を示す情報である。つまり、第２映像情報は、第１映像情報と差分映像情報で階層符号化により得られる映像データである。第１映像から第１映像情報を得るための符号化方式、第２映像から第１映像情報と差分映像情報とを得るための階層符号化をサポートする符号化方式として、例えば、ＭＰＥＧ−Ｈ  ＨＥＶＣ（Ｈｉｇｈ  Ｅｆｆｉｃｉｅｎｃｙ  Ｖｉｄｅｏ  Ｃｏｄｉｎｇ）、ＭＰＥＧ−４  ＡＶＣ（Ａｄｖａｎｃｅｄ  Ｖｉｄｅｏ  Ｃｏｄｉｎｇ）、などに規定された映像符号化方式が利用可能である。
端末装置１０は、無線で映像情報が受信できる電子機器であればよい。端末装置１０は、携帯電話機（いわゆるスマートフォンを含む）、タブレット端末装置、パーソナルコンピュータなどの汎用の機器であってもよいし、専用のテレビジョン受信装置であってもよい。
【００２１】
第１伝送方式は、例えば、４Ｋ映像を示す映像情報（以下、「４Ｋ映像情報」と呼ぶ）を伝送可能とする伝送方式として、ＬＴＥ−Ａｄｖａｎｃｅｄ（Ｌｏｎｇ  Ｔｅｒｍ  Ｅｖｏｌｕｔｉｏｎ−Ａｄｖａｎｃｅｄ）、ＩＥＥＥ  ８０２．１６ｍなどの無線通信方式であればよい。これらの通信方式は、４Ｇと総称される。第１伝送方式は、第２伝送方式よりも安定したデータの伝送を可能とする。
【００２２】
第２伝送方式は、第１伝送方式よりも大きい伝送容量で各種の情報を伝送可能とする伝送方式である。第２伝送方式で利用可能とする伝送容量は、少なくとも差分映像情報（例えば、８Ｋ映像情報と４Ｋ映像情報との差分）を伝送可能とする伝送容量であればよい。第２伝送方式は、例えば、５Ｇ、即ち３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によりリリース１５で規定された無線通信方式である。５Ｇで利用可能とする周波数は４Ｇよりも高いため、伝送容量が大きい反面、後述するように外部条件によって通信品質が損なわれる可能性が高い。
【００２３】
第１基地局装置２０ａは、自装置が送出する電波の強度が所定の強度以上である領域（以下、「第１エリア」と呼ぶ）内に在圏（所在）する端末装置１０と、第１ネットワークＮＷ０１を介して接続された他の機器（以下、「他機器」と呼ぶ、図示せず）と第１伝送方式で各種の情報を送受信可能とする基地局装置である。第１基地局装置２０ａは、第１ネットワークＮＷ０１の構成要素である。第１ネットワークＮＷ０１は、例えば、第１伝送方式で各種の情報を送受信可能とする公衆無線ネットワークである。他機器は、例えば、端末装置１０から受信した映像要求信号に応じて第１映像情報と差分映像情報を送信可能とする映像サーバ装置（図示せず）であってもよいし、予め登録された端末装置１０に一斉に第１映像情報と差分映像情報を送信可能とする映像サーバ装置（図示せず）であってもよい。以下の説明では、他機器が、端末装置１０から受信した映像要求信号に応じて第１映像情報と差分映像情報を送信可能とする映像サーバ装置である場合を例にする。
【００２４】
第２基地局装置２０ｂは、自装置が送出する電波の強度が所定の強度以上である領域（以下、「第２エリア」と呼ぶ）内に在圏する端末装置１０と、第２ネットワークＮＷ０２を介して接続された他機器と第２伝送方式で各種の情報を送受信可能とする基地局装置である。第２基地局装置２０ｂは、第２ネットワークＮＷ０２の構成要素である。第２ネットワークＮＷ０２は、例えば、第２伝送方式で各種の情報を送受信可能とする公衆無線ネットワークである。第１基地局装置２０ａと第２基地局装置２０ｂの間で電波の出力強度が同等であるとき、一般に、第２エリアは、第１エリアよりも空間的に狭い。第１ネットワークＮＷ０１に接続可能とする複数の第１エリアからなる第１サービスエリア内に、複数の第２エリアが疎らに配置される。そのため、端末装置１０は、第１サービスエリア内に在圏していても第２エリア内に在圏していないことがある。他方、第２エリア内に在圏していても第１エリアに在圏していない場合は、ほとんど生じない。
【００２５】
そこで、端末装置１０は、第１基地局装置２０ａから第１映像情報を受信しているとき、第２基地局装置２０ｂから送出される電波の受信電力に基づいて、第２エリア内に在圏しているか否かを判定する。端末装置１０は、第２エリア内に在圏していると判定するとき、第２基地局装置２０ｂとの通信を開始する。端末装置１０は、第２基地局装置２０ｂとの通信により、第２基地局装置２０ｂに差分映像情報を要求する。第２基地局装置２０ｂは差分映像情報要求を受信すると、差分映像情報を端末装置１０に送信する。端末装置１０は、受信した第１映像情報と差分映像情報から第２映像情報を合成し、合成した第２映像情報が示す第２映像を再生する。端末装置１０は、自装置が第２エリア内に在圏していないと判定するとき、受信した第１映像情報が示す第１映像を再生する。端末装置１０は、図１に示すように矢印に沿って移動する場合を仮定する。端末装置１０は、第１エリアＣＶ０１に在圏しているが、第２エリアＣＶ０２の圏外である場合には、第１映像を再生する。端末装置１０は、第１エリアＣＶ０１と第２エリアＣＶ０２が重なり合う領域内に在圏する場合には、第２映像を再生する。端末装置１０は、再度第１エリアに在圏しているが、第２エリアＣＶ０２の圏外となる位置に在圏するとき、第１映像を再生する。
【００２６】
（端末装置）
次に、本実施形態に係る端末装置１０の機能構成の一例について説明する。
図２は、本実施形態に係る端末装置１０の機能構成の一例を示すブロック図である。
端末装置１０は、通信部１２と、制御部１４と、記憶部１６と、映像再生部１８と、操作部１９と、を含んで構成される。
通信部１２は、第１無線部１２２（第１通信部）と、第２無線部１２４（第２通信部）と、を含んで構成される。
第１無線部１２２は、第１伝送方式を用いて第１基地局装置２０ａと各種のデータを無線で送受信する。第１無線部１２２は、無線で受信した受信信号を復調し、復調した受信信号（以下、「第１受信信号」と呼ぶ）を通信処理部１４２に出力する。また、第１無線部１２２は、通信処理部１４２から入力される送信信号を変調し、変調した送信信号を無線で送信する。
第２無線部１２４は、第２伝送方式を用いて第２基地局装置２０ｂと各種のデータを無線で送受信する。第２無線部１２４は、無線で受信した受信信号を復調し、復調した受信信号（以下、「第２受信信号」と呼ぶ）を通信処理部１４２に出力する。また、第２無線部１２４は、通信処理部１４２から入力される送信信号を変調し、変調した送信信号を無線で送信する。
第１無線部１２２、第２無線部１２４は、例えば、無線通信インタフェースである。第１無線部１２２と第２無線部１２４は、それぞれ別個に構成されてもよいし、互いに一体化して構成されてもよい。
【００２７】
制御部１４は、端末装置１０が有する各種の機能を制御する。制御部１４は、通信処理部１４２と、通信制御部１４４と、映像処理部１４６と、を含んで構成される。制御部１４は、例えば、ＣＰＵ（Ｃｅｎｔｒａｌ  Ｐｒｏｃｅｓｓｉｎｇ  Ｕｎｉｔ）などの１つ以上の制御デバイスを含んで構成されてもよい。制御デバイスは、記憶部１６に記憶させておいた所定のプログラムを読み出し、読み出したプログラムに記述された命令で指示される処理を行うことで各部の機能を実現する。
【００２８】
通信処理部１４２は、通信制御部１４４の制御に応じて第１無線部１２２を介した第１基地局装置２０ａとの通信と第２無線部１２４を介した第２基地局装置２０ｂとの通信の一方又は両方を行う。
通信処理部１４２は、第１無線部１２２から入力される第１受信信号に基づいて、第１伝送方式による伝送状態を解析し、解析により得られる伝送状態を示す第１伝送状態情報を通信制御部１４４に出力する。
同様に、通信処理部１４２は、第２無線部１２４から入力される第２受信信号に基づいて、第２伝送方式による伝送状態を解析し、解析により得られる伝送状態を示す第２伝送状態情報を通信制御部１４４に出力する。
通信処理部１４２は、伝送状態の解析において、第１受信信号もしくは第２受信信号に含まれる既知の参照信号を用いる。第１伝送状態情報、第２伝送状態情報は、それぞれ通信制御部１４４における第１無線部１２２、第２無線部１２４を介した通信制御の手がかりとして用いられる。第１伝送状態情報、第２伝送状態情報には、伝送品質を示す指標値（パラメータ）として、例えば、それぞれ第１受信信号の受信電力（以下、「第１受信電力」と呼ぶ）、第２受信信号の受信電力（以下、「第２受信電力」と呼ぶ）が含まれてもよい。伝送品質を示す指標値として、その他の種別の指標値、例えば、符号化誤り率などが用いられてもよい。伝送品質を示す指標値の具体例については、第２の実施形態において説明する。
【００２９】
通信処理部１４２は、通信制御部１４４から入力される第１接続要求に応じて第１伝送方式で規定された手順に従って第１基地局装置２０ａと接続を確立する。第１接続要求とは、第１伝送方式での接続要求を意味する。通信処理部１４２は、第１基地局装置２０ａと第１伝送方式で接続しているとき、第１伝送方式での接続を示す接続状態情報を通信制御部１４４に出力する。なお、通信処理部１４２は、第１伝送方式で接続していないとき、第１伝送方式で接続していないことを示す第１接続状態情報を通信制御部１４４に出力する。通信処理部１４２は、例えば、次のいずれかの場合に第１伝送方式で接続していないと判定する。
第１接続要求に対して第１伝送方式での接続に失敗したとき、
第１伝送方式で規定された手順に従って接続を解除したとき、
第１受信信号の受信電力が所定の第１受信電力の閾値よりも低い状態が所定時間（例えば、０．５〜１秒）以上継続する場合。なお、符号化誤り率など、第１伝送方式におけるその他の伝送品質を示す指標値が取得される場合、通信処理部１４２は、その指標値が示す伝送品質が所定の伝送品質よりも低い状態が所定時間以上継続する場合、第１伝送方式で接続していないと判定してもよい。
【００３０】
第２伝送方式については、通信処理部１４２は、通信制御部１４４から入力される第２接続要求に応じて第２伝送方式で規定された手順に従って第２基地局装置２０ｂと接続を確立する。第２接続要求とは、第２伝送方式での接続要求を意味する。通信処理部１４２は、第２伝送方式で第２基地局装置２０ｂと接続しているとき、第２伝送方式での接続を示す接続状態情報を通信制御部１４４に出力する。なお、通信処理部１４２は、第２伝送方式で接続していないとき、第２伝送方式で接続していないことを示す第２接続状態情報を通信制御部１４４に出力する。通信処理部１４２は、例えば、次のいずれかの場合に第２伝送方式で接続していないと判定する。
第２接続要求に対して第２伝送方式での接続に失敗したとき、
第２基地局装置２０ｂとの間において第２伝送方式で規定された手順に従って接続を解除した場合、
第２受信信号の受信電力が所定の第２受信電力の閾値よりも低い状態が所定時間（例えば、０．５〜１秒）以上継続する場合。なお、符号化誤り率など、第２伝送方式におけるその他の伝送品質を示す指標値が取得される場合、通信処理部１４２は、その指標値が示す伝送品質が所定の伝送品質よりも低い状態が所定時間以上継続する場合、第２伝送方式で接続していないと判定してもよい。
【００３１】
第１基地局装置２０ａとの接続中に通信制御部１４４から第１映像情報要求が入力されるとき、通信処理部１４２は、入力された第１映像情報要求を、第１無線部１２２と第１基地局装置２０ａを介して映像サーバ装置に送信する。第１映像情報要求とは、第１映像情報の要求を示す信号である。通信処理部１４２は、第１映像情報要求に対する応答として第１映像情報を映像サーバ装置から第１無線部１２２を介して受信する。
また、第２基地局装置２０ｂとの接続中に通信処理部１４２は、通信制御部１４４から入力される差分映像情報要求を、第２無線部１２４と第２基地局装置２０ｂを介して映像サーバ装置に送信する。差分映像情報要求とは、差分映像情報の要求を示す信号である。通信処理部１４２は、差分映像情報要求に対する応答として差分映像情報を、第２基地局装置２０ｂと第２無線部１２４を介して映像サーバ装置から受信する。
【００３２】
通信処理部１４２は、バッファ部を備える。バッファ部は、受信した第１映像情報と差分映像情報を一時的に保持する。第１映像情報、差分映像情報には、それぞれの映像の予め定めた長さの区間毎の代表時刻（以下、「再生時刻」と呼ぶ）を示す識別子が付加されている。バッファ部は、所定の再生時間（例えば、５〜１０分）の第１映像情報と差分映像情報の記憶容量を有し、第１映像情報、差分映像情報をそれぞれ再生時刻が早い順に記憶する。
【００３３】
バッファ部は、保持された第１映像情報と差分映像情報から、再生時刻が早い順に所定時間（例えば、１／６０秒）毎に再生速度に応じた容量（例えば、１フレーム）の第１映像情報と差分映像情報を映像処理部１４６に出力する。但し、再生時刻を共通とする第１映像情報と差分映像情報の両者が保持されていない場合がある。最新の再生時刻について第１映像情報が保持されているが、差分映像情報が保持されていない場合には、バッファ部は、その第１映像情報を映像処理部１４６に出力する。最新の再生時刻について第１映像情報が保持されておらず、差分映像情報が保持されている場合には、バッファ部は、その差分映像情報を映像処理部１４６に出力せずに、消去してもよい。バッファ部は、映像処理部１４６に出力した第１映像情報と差分映像情報の一方又は両方を消去し、消去した記憶領域に新たな第１映像情報又は差分映像情報を保持可能とする。バッファ部は、例えば、リングバッファを含んで構成される。
【００３４】
通信制御部１４４は、通信処理部１４２から入力される第１伝送状態情報、第２伝送状態情報と、操作部１９から入力される操作信号に基づいて、それぞれ第１伝送方式を用いた通信、第２伝送方式を用いた通信を制御する。通信制御部１４４は、例えば、第１伝送状態情報として第１受信電力が第１受信電力の閾値よりも大きいとき、自装置が第１エリアに在圏していると判定する。このとき、通信制御部１４４は、操作部１９から入力される操作信号で映像コンテンツの再生が指示されるとき、その指示を受け付ける。
そして、端末装置１０が第１基地局装置２０ａと接続されていないとき、通信制御部１４４は、第１接続要求を通信処理部１４２に出力する。これにより、第１伝送方式での接続が要求される。通信制御部１４４は、通信処理部１４２から入力される第１接続状態情報に基づいて第１伝送方式による第１基地局装置２０ａとの接続状態を判定することができる。
通信制御部１４４は、第１基地局装置２０ａと第１伝送方式で接続しているとき、操作信号で指定された映像コンテンツの第１映像情報要求を通信処理部１４２に出力する。
【００３５】
通信制御部１４４は、例えば、第２伝送状態情報として第２受信電力が第２受信電力の閾値よりも大きいとき、自装置が第２エリアに在圏していると判定する。
そして、端末装置１０が、第２基地局装置２０ｂと接続されていないとき、通信制御部１４４は、第２接続要求を通信処理部１４２に出力する。これにより、第２伝送方式での接続が要求される。通信制御部１４４は、通信処理部１４２から入力される第２接続状態情報に基づいて第２伝送方式による第２基地局装置２０ｂとの接続状態を判定することができる。
通信制御部１４４は、第２基地局装置２０ｂと第２伝送方式で接続しているとき、操作信号で指定される映像コンテンツの差分映像情報要求を通信処理部１４２に出力する。
【００３６】
なお、上記のように第２受信信号の搬送周波数は第１受信信号の搬送周波数よりも高いため、第２エリアは第１エリアよりも狭く、第２受信信号の受信電力の変動が第１受信信号の受信電力の変動よりも著しくなる傾向がある。そのため、第２伝送方式での接続と、接続の解除が繰り返されることがある。
そこで、通信制御部１４４は、映像コンテンツの再生の指示を示す操作信号が入力されていないときでも、通信処理部１４２が第１映像情報を受信し、かつ第２伝送方式で第２基地局装置２０ｂと接続している場合には、第１映像情報と共通の映像コンテンツに係る差分映像情報要求を通信処理部１４２と第２基地局装置２０ｂを介して映像サーバ装置に送信する。これにより、第１映像の再生中に、第２エリアに在圏しているとき差分映像情報を極力取得することができるので、第１映像よりも品質が高い第２映像が極力再生されうる。
なお、通信制御部１４４は、例えば、通信処理部１４２に入力される第１映像情報、差分映像情報をモニタして、第１映像情報、差分映像情報を受信しているか否かの判定を行ってもよい。
【００３７】
映像処理部１４６は、通信処理部１４２から入力される第１映像情報に含まれる第１映像の符号化データを復号して第１映像を示す第１映像データを生成する。通信処理部１４２からさらに差分映像情報が入力されない場合には、映像処理部１４６は、生成した第１映像データを再生映像データとして映像再生部１８に出力する。
通信処理部１４２からさらに差分映像情報が入力される場合には、映像処理部１４６は、差分映像情報に含まれる差分映像の符号化データを復号して差分映像を示す差分映像データを生成する。映像処理部１４６は、第１映像を示す映像データと差分映像データを合成して第２映像を示す第２映像データを生成する。映像処理部１４６は、生成した第２映像データを再生映像データとして映像再生部１８に出力する。映像処理部１４６は、第１映像の符号化データの復号方法、第２映像の符号化データの復号方法及び第２映像を示す再生映像データの生成方法として、例えば、ＭＰＥＧ−Ｈ  ＨＥＶＣに規定された方法を用いることができる。
【００３８】
記憶部１６は、制御部１４が取得した各種のデータ、制御部１４が行う処理に用いられる各種のデータを記憶する。記憶部１６は、例えば、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）などの記憶媒体で構成される。
【００３９】
映像再生部１８は、映像処理部１４６から入力される再生映像データに基づく映像を再生する。再生映像データが第１映像情報である場合には、映像再生部１８は第１映像を再生する。再生映像データが第２映像情報である場合には、映像再生部１８は第２映像を再生する。映像再生部１８は、例えば、ＬＣＤ（Ｌｉｑｕｉｄ  Ｃｒｙｓｔａｌ  Ｄｉｓｐｌａｙ；液晶ディスプレイ）、ＯＬＥＤ（Ｏｒｇａｎｉｃ  Ｌｉｇｈｔ  Ｅｍｉｔｔｉｎｇ  Ｄｉｏｄｅ；有機発光ダイオード）ディスプレイなどである。
【００４０】
操作部１９は、ユーザの操作を受け付け、受け付けた操作に応じた操作信号を生成する。操作部１９は、生成した操作信号を制御部１４に出力する。操作部１９は、例えば、マウス、タッチセンサなどの汎用の部材で構成されてもよいし、ボタン、つまみ、などの専用の部材で構成されてもよい。操作部１９がタッチセンサである場合には、映像再生部１８と一体化した単一のタッチセンサとして構成されてもよい。
【００４１】
（基地局装置）
次に、本実施形態に係る基地局装置２０の機能構成の一例について説明する。第１基地局装置２０ａと、第２基地局装置２０ｂとの構成は、伝送方式や構成ネットワークが異なる他、機能構成は互いに共通である。以下の説明では、主に第１基地局装置２０ａと、第２基地局装置２０ｂの共通点について説明する。そして、第１基地局装置２０ａと第２基地局装置２０ｂを基地局装置２０と総称する。
【００４２】
図３は、本実施形態に係る基地局装置２０の機能構成の一例を示すブロック図である。
基地局装置２０は、第１通信部２２（第１基地局通信部、第２基地局通信部）と、第２通信部２４と、制御部２６（第１基地局制御部、第２基地局制御部）と、記憶部２８と、を含んで構成される。ここで、第１基地局通信部、第２基地局通信部とは、それぞれ第１基地局装置２０ａ、第２基地局装置２０ｂの第１通信部２２を意味する。また、第１基地局制御部、第２基地局制御部とは、それぞれ第１基地局装置２０ａ、第２基地局装置２０ｂの制御部２６を意味する。
【００４３】
第１通信部２２は、自装置のカバレッジ内に在圏する端末装置１０と各種のデータを無線で送受信する。カバレッジとは、電波が所定の受信電力をもって到達する範囲を指す。カバレッジは、カバーエリアとも呼ばれる。上記の第１エリア、第２エリアがカバレッジに相当する。第１通信部２２は、端末装置１０から電波で送信された無線周波数帯域の受信信号をダウンコンバートして基底周波数帯域の受信信号を生成し、生成した受信信号を制御部２６に出力する。また、第１通信部２２は、制御部２６から入力される基底周波数帯域の送信信号をアップコンバートして無線周波数帯域の受信信号を生成し、電波で送出する。
【００４４】
第２通信部２４は、無線又は有線でコアネットワークと通信可能に接続され、上述の映像サーバ装置との間で各種のデータを送受信する。第２通信部２４、映像サーバ装置からコアネットワークを介して受信した受信信号を制御部２６に出力し、制御部２６から入力される送信信号を、コアネットワークを介して映像サーバ装置に送信する。なお、図３に示す例では、コアネットワークが無線の通信路から構成されることを前提として、第２通信部２４がコアネットワークと接続するためのアンテナを備える。コアネットワークが、有線の通信路から構成される場合には、第２通信部２４はアンテナを要しない。
【００４５】
制御部２６は、基地局装置２０が有する各種の機能を制御する。制御部２６は、通信制御部２６２と、通信処理部２６４と、を含んで構成される。制御部２６は、例えば、１つ以上の制御デバイス（例えば、ＣＰＵ）を含んで構成されてもよい。制御デバイスは、記憶部２８に記憶させておいた所定のプログラムを読み出し、読み出したプログラムに記述された命令で指示される処理を行うことで各部の機能を実現する。
【００４６】
通信制御部２６２は、自装置のカバレッジに在圏する端末装置１０との通信に関する制御を行う。通信制御部２６２は、接続の可否判定の手がかりとして参照信号を送信する。ここで、通信制御部２６２は、通信品質を測定するための参照信号を生成し、生成した参照信号を所定時間（例えば、１０ｍｓ）毎に第１通信部２２を介して送信する。
通信制御部２６２は、端末装置１０との通信に用いる伝送方式（即ち、第１伝送方式又は第２伝送方式）に規定された手順に従って端末装置１０の間で接続処理を行う。接続処理に成功した後、通信制御部２６２は、端末装置１０とのデータの送受信に用いるリソースを割り当て、端末装置１０と映像サーバ装置との間の通信を開始する。
【００４７】
通信処理部２６４は、端末装置１０と映像サーバ装置との間で基地局装置２０を介して接続が確立しているとき、端末装置１０と映像サーバ装置との間で送受信されるデータを中継する。
例えば、通信処理部２６４は、端末装置１０から受信した第１映像情報要求を映像サーバ装置に送信し、その応答として映像サーバ装置から第１映像情報を端末装置に送信する。通信処理部２６４は、端末装置１０から受信した差分映像情報要求を映像サーバ装置に送信し、その応答として映像サーバ装置から差分映像情報を端末装置１０に送信する。
ここで、通信処理部２６４は、第１通信部２２から入力された受信信号を第２通信部２４に送信信号として出力し、第２通信部２４から入力された受信信号を第１通信部２２に送信信号として出力する。
【００４８】
記憶部２８は、制御部２６が取得した各種のデータ、制御部２６が行う処理に用いられる各種のデータを記憶する。記憶部２８には、例えば端末装置１０と映像サーバ装置との間で送受信されるデータが一時的に記憶されてもよい。記憶部２８は、例えば、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）などの記憶媒体で構成される。
【００４９】
（映像受信処理）
次に、本実施形態に係る映像受信処理の一例について説明する。
図４は、本実施形態に係る映像受信処理の一例を示すシーケンス図である。
図４は、第１エリアに在圏している端末装置１０が第１伝送方式を用いて第１基地局装置２０ａと接続しているとき第２エリアに進入し、第２映像情報に基づく第２映像を再生するまでの一連の処理を例にする。
【００５０】
（ステップＳ１０２）端末装置１０の通信処理部１４２は、映像コンテンツの再生指示に応じて、第１伝送方式で規定された手順に従って第１基地局装置２０ａの通信制御部２６２との間で接続を確立する。接続が確立することで、端末装置１０は第１基地局装置２０ａを介して第１伝送方式を用いた通信が可能となる。
（ステップＳ１０４）端末装置１０の通信処理部１４２は、第１映像情報要求を、第１基地局装置２０ａを介して映像サーバ装置に送信する。
（ステップＳ１０６）第１基地局装置２０ａの通信処理部２６４は、映像サーバ装置から受信した第１映像情報を第１伝送方式で逐次に端末装置１０に送信する。
（ステップＳ１０８）端末装置１０の通信処理部１４２は、第１基地局装置２０ａから第１映像情報を逐次に受信し、受信した第１映像情報を自部が備えるバッファ部を介して映像処理部１４６に出力する。映像処理部１４６は、通信処理部１４２から入力される第１映像情報に含まれる符号化データを復号し、復号により得られる第１映像を示す第１映像データを映像再生部１８に出力する。映像再生部１８は、映像処理部１４６から入力される第１映像データに基づく第１映像を再生する。
【００５１】
（ステップＳ１１０）端末装置１０の通信制御部１４４は、通信処理部１４２から入力される第２伝送状態情報に基づいて自装置が第２エリアに在圏しているか否かを判定する。第２エリアに在圏していない状態から在圏している状態に変化したとき、通信処理部１４２は、第２エリアに進入したと判定する。通信制御部１４４は、通信処理部１４２を介して第２基地局装置２０ｂに第２接続要求を送信する。これにより、第２基地局装置２０ｂの通信制御部２６２との接続処理が開始される。
（ステップＳ１１２）第２基地局装置２０ｂの通信制御部２６２は、端末装置１０から第２接続要求を受信し、自装置のカバレッジである第２エリアへの端末装置１０の進入を認識し、端末装置１０の通信制御部１４４との間で接続処理を行う。
（ステップＳ１１４）その後、端末装置１０の通信処理部１４２と第２基地局装置２０ｂの通信処理部２６４とは、第２伝送方式を利用した各種情報の送受信を開始する。
【００５２】
（ステップＳ１１６）端末装置１０の通信制御部１４４は、受信中の第１映像情報と共通の映像コンテンツに係る差分映像情報要求を、通信処理部１４２を介して第２基地局装置２０ｂに送信する。
（ステップＳ１１８）第２基地局装置２０ｂの通信処理部２６４は、端末装置１０から差分映像情報要求を受信し、受信した差分映像情報要求を映像サーバ装置に送信する。
（ステップＳ１２０）第２基地局装置２０ｂの通信処理部２６４は、差分映像情報要求の応答として、映像サーバ装置から差分映像情報を逐次に受信し、受信した差分映像情報を端末装置１０に送信する。
【００５３】
（ステップＳ１２２）端末装置１０の通信処理部１４２は、第２基地局装置２０ｂから差分映像情報を逐次に受信し、受信した差分映像情報を自部が備えるバッファ部を介して映像処理部１４６に出力する。
（ステップＳ１２４）端末装置１０の映像処理部１４６は、通信処理部１４２から入力される差分映像情報であって、第１映像情報と再生時刻が同一である差分映像情報に含まれる符号化データを復号し、差分映像を示す映像データを生成する。映像処理部１４６は、第１映像を示す第１映像データと、差分映像を示す差分映像データを合成して、第２映像を示す第２映像データを生成し、映像再生部１８に出力する。
（ステップＳ１２６）映像再生部１８は、映像処理部１４６から入力される第２映像データに基づく第２映像を再生する。
【００５４】
以上、説明したように、本実施形態に係る端末装置１０は、第１伝送方式とは別個の第２伝送方式での受信可否を判定する通信制御部１４４を備える。また、端末装置１０は、第１伝送方式を用いて第１品質を有する第１映像情報を受信可能とし、第２伝送方式を用いて差分映像情報を受信可能とする通信部１２を備える。また、端末装置１０は、第１映像情報と差分映像情報とから、第１品質よりも品質が高い第２品質を有する第２映像情報を生成する映像処理部１４６を備える。
この構成により、第１伝送方式の伝送容量では第２映像情報の伝送に不足するが、端末装置１０は、より伝送容量の大きい第２伝送方式を利用できるときに、より品質が高い第２映像を再生することができる。また、第１映像と第２映像とで映像コンテンツの変更を伴わないため、ユーザはその映像コンテンツを一貫して視聴することができる。
【００５５】
（第２の実施形態）
次に、本発明の第２の実施形態について説明する。以下の説明では、第１の実施形態との差異点を主とする。第１の実施形態と同一の構成については、特に断らない限り同一の符号を付してその説明を援用する。
図５は、本実施形態に係る端末装置１０の機能構成の一例を示すブロック図である。
本実施形態に係る端末装置１０は、制御部１４において外部条件判定部１４８をさらに備える。また、端末装置１０は、検出部１７をさらに備える。
【００５６】
外部条件判定部１４８は、外部条件情報を取得し、取得した外部条件情報に基づいて第２伝送方式を用いて差分映像情報を受信するか否かを判定する。外部条件情報とは、第２伝送方式による伝送状態を示す情報又は伝送状態に影響する条件を示す情報である。
記憶部１６には、判定基準情報を予め記憶しておく。外部条件判定部１４８は、記憶部１６から判定基準情報を読み出し、取得した外部条件情報が示す外部条件が読み出した判定基準情報で示される判定基準を満足するとき差分映像情報を受信すると判定する。外部条件判定部１４８は、その外部条件情報が示す外部条件が、その判定基準情報で示される判定基準を満足しないとき差分映像情報を受信しないと判定する。外部条件判定部１４８は、差分映像情報の受信の可否を示す受信制御情報を通信制御部１４４に出力する。従って、外部条件が判定基準を満足するとき、第１映像情報と差分映像情報とから第２映像を示す第２映像データが再生映像データとして生成される。外部条件が判定基準を満足しないときには、第１映像情報に基づく第１映像データが再生映像データとして生成される。
【００５７】
通信制御部１４４は、第１映像情報の受信中に第２基地局装置２０ｂと接続し、かつ、外部条件判定部１４８から入力される受信制御情報が差分映像情報の受信要を示すとき、通信処理部１４２に第２伝送方式を用いた差分映像情報を受信させる。通信処理部１４２が差分映像情報を受信していない場合には、通信制御部１４４は、受信する第１映像情報と共通の映像コンテンツに係る差分映像情報要求を、通信処理部１４２と第２基地局装置２０ｂを介して映像サーバ装置に送信する。
他方、通信制御部１４４は、第１映像情報の受信中に第２基地局装置２０ｂと接続していても、外部条件判定部１４８から入力される受信制御情報が差分映像情報の受信否を示すとき、通信処理部１４２に第２伝送方式を用いて伝送される差分映像情報を受信させない。通信処理部１４２が差分映像情報を受信している場合には、受信している差分映像情報に係る差分映像情報停止要求を通信処理部１４２と第２基地局装置２０ｂを介して映像サーバ装置に送信する。
【００５８】
検出部１７は、端末装置１０もしくはその周囲における環境の状態を示す物理量を検出する。かかる物理量の一部は、後述する外部条件情報として用いられてもよい。検出部１７は、その物理量を検出するためのセンサを含んで構成される。
【００５９】
（外部条件情報）
次に、外部条件情報の例について説明する。
外部条件情報には、例えば、（ｉ）第２伝送方式での伝送状態を示す第２伝送状態情報、（ｉｉ）端末装置１０の所在地を含む領域における天候に関する天候情報、（ｉｉｉ）端末装置１０の移動状態を示す移動状態情報、（ｉｖ）第２基地局装置２０ｂへの接続数、がある。外部条件情報の要素となる１つ又は複数の指標値が差分映像情報の受信の可否判定に用いられる。外部条件判定部１４８は、差分映像情報受信の可否判定の際、所定の指標値を判定基準値として示す判定基準情報を用いる。
【００６０】
（ｉ）第２伝送状態情報として、例えば、第２受信信号の受信電力、信号対雑音比、搬送波対雑音比、パケット損失率、符号化誤り率、ピーク電力対平均電力比などの指標値が利用可能である。通信処理部１４２は、第２基地局装置２０ｂから受信した第２受信信号を解析して、これらの指標値のいずれかを取得し、取得した指標値を外部条件判定部１４８に出力する。
これらの指標値のうち、受信電力、信号対雑音比、搬送波対雑音比は、その値が大きいほど通信品質が高いことを示す指標値である。従って、記憶部１６には、所定の指標値の閾値を判定基準値として記憶しておく。外部条件判定部１４８は、取得した指標値が判定基準値よりも大きいとき、判定基準を満足すると判定し、取得した指標値が判定基準値以下であるとき、判定基準を満足していないと判定する。
【００６１】
受信電力は、第２受信信号の電力値である。本実施形態では、受信電力は素の測定値である必要はなく、判定基準とする判定基準値との差分であってもよい。
信号対雑音比は、雑音成分の電力に対する信号成分の電力である。通信処理部１４２は、第２受信信号から第２伝送方式で規定された参照信号の成分を信号成分とし、それ以外の成分を雑音成分として抽出する。そして、通信処理部１４２は、抽出した信号成分と雑音成分とから信号対雑音比を算出する。
搬送波対雑音比は、雑音成分の電力に対する搬送波成分の電力である。通信処理部１４２は、第２受信信号から伝送に用いられた搬送波成分を搬送波成分とし、それ以外の成分を雑音成分として抽出する。そして、通信処理部１４２は、抽出した搬送波成分と雑音成分とから搬送波対雑音比を算出する。
【００６２】
上記の指標値のうち、パケット損失率、符号化誤り率、ピーク電力対平均電力比は、その値が小さいほど通信品質が高いことを示す指標値である。記憶部１６には、所定の指標値の閾値を判定基準値とする判定基準情報を予め記憶しておく。外部条件判定部１４８は、取得した指標値が判定基準値よりも小さいとき、判定基準を満足すると判定し、取得した指標値が判定基準値以上であるとき、判定基準を満足していないと判定する。
パケット損失率は、伝送されたパケットのうち、受信されずに損失したパケットの個数の割合である。通信処理部１４２は、第２受信信号について所定のパケット損失検出処理を行って損失したパケットを検出し、所定時間（例えば、１０〜５０ｍｓ）毎に検出できた全パケット個数に対する損失したパケットの個数をパケット損失率として算出する。
符号化誤り率は、伝送された符号化ビットのうち、誤りが生じたビットの個数の割合である。通信処理部１４２は、第２受信信号について所定のビット誤り検出処理を行ってビット誤りを検出し、所定時間（例えば、１０〜５０ｍｓ）毎に受信した符号化ビットの個数に対する誤りが生じたビットの個数を符号化誤り率として算出する。
ピーク電力対平均電力比は、所定時間（例えば、１０〜５０ｍｓ）内における第２受信信号の平均電力に対する電力の最大値の比である。
【００６３】
なお、判定基準値として用いられる指標値の閾値は、端末装置１０の第２エリアでの在圏判定（上述）に用いられる閾値よりも通信品質が高いことを示す閾値（以下、「第２閾値」と呼ぶ）であってもよい。これにより、差分映像情報の可否判定が、第２伝送方式での接続の可否判定よりも通信品質が高い場合に行われ、差分映像情報の取得が開始される。これに対し、第２伝送方式での接続が停止するときに、差分映像情報の取得が停止する。そのため、差分映像情報の取得開始と停止の繰り返し頻度を低減し、より安定した差分映像情報、ひいては第２映像情報の取得が可能となる。
【００６４】
なお、差分映像情報を受信しているとき、第２伝送方式での伝送状態を示す指標値として、通信処理部１４２が備えるバッファ部に記憶された差分映像情報の情報量を第２伝送状態情報の一例として利用可能である。通信処理部１４２が、パケット損失、ビット誤り等の伝送状態の劣化が生じる場合には、第２基地局装置２０ｂに対して再送要求を行い、伝送状態の劣化が生じずに復調に成功した差分映像情報をバッファ部に記憶する。他方、バッファ部は、差分映像の復号のために出力した差分映像情報を棄却するため、伝送状態の劣化が生じると、劣化が生じない場合よりも、バッファ部に記憶される差分映像情報の情報量が少なくなる。そこで、記憶部１６には、所定の情報量として第３閾値と所定の継続時間として第２閾値を判定基準値とする判定基準情報を予め記憶しておく。第４閾値は、その第３閾値を差分映像の再生速度に対応した差分映像情報の情報量の変化速度で除算して得られる継続時間とする。そして、外部条件判定部１４８は、通信処理部１４２への差分映像情報の入力の有無と、バッファ部を参照して記憶された差分映像情報の情報量を指標値としてモニタする。外部条件判定部１４８は、例えば、差分映像情報が入力されるときであって、モニタした情報量が第３閾値を超え、かつ、情報量の変化速度が再生速度に対応する情報量の変化速度以上となる状態の継続時間が第４閾値未満であるとき、判定基準を満足すると判定する。そのような場合には、正常に受信される差分映像情報がバッファ部に順調に蓄積されるためである。また、外部条件判定部１４８は、例えば、差分映像情報が入力されないとき、差分映像情報が入力されるときであっても、モニタした情報量が第３閾値以下、又は情報量の変化速度が再生速度に対応する情報量の変化速度以上となる状態の継続時間が第４閾値以上であるとき、判定基準を満足しないと判定する。そのような場合には、差分映像情報が正常に受信されない、又は受信されたとしても再生速度に追いつかないためである。また、正常に受信されバッファ部に保持された差分映像情報の情報量が第３閾値以下になり、その情報量の変化速度が再生速度となる期間が第４閾値となるとき、つまり、バッファ部に保持される差分映像情報がなくなるまで差分映像情報が受信可能とする状態が維持される。そのため、コンテンツ映像の終了に伴い差分映像情報の伝送が停止したときでも、その差分映像情報の末尾まで差分映像が再生可能となる。
【００６５】
（ｉｉ）天候情報として、第２基地局装置２０ｂから端末装置１０への第２伝送方式に基づく伝送に係る伝送品質を阻害する所定の天候、例えば、降雨を判定できる情報が取得されればよい。記憶部１６には、所定の天候を判定基準値として示す判定基準情報を予め記憶しておく。
外部条件判定部１４８は、例えば、気象情報提供業者が管理するサーバ装置（図示せず）に、通信処理部１４２と第１基地局装置２０ａを介して天候情報要求を送信する。天候情報要求は、自装置である端末装置１０の位置を含む領域における現時点又は現時点から所定時間（例えば、５〜１５分）後までの予想期間に予想される天候を示す天候情報の要求を示す信号である。外部条件判定部１４８は、天候情報要求に対する応答として、サーバ装置から、その天候情報を受信する。
外部条件判定部１４８は、受信した天候情報が示す天候が所定の天候であるとき、判定基準を満足しないと判定し、受信した天候情報が示す天候が所定の天候に該当しないとき、判定基準を満足すると判定する。
【００６６】
なお、外部条件判定部１４８は、例えば、次のいずれかの手法を用いて天候情報の基礎とする自装置の位置を示す位置情報を取得することができる。
（ｉｉ−ａ）少なくとも４台のＧＰＳ（Ｇｌｏｃａｌ  Ｐｏｓｉｔｉｏｎｉｎｇ  Ｓｙｓｔｅｍ）衛星からそれぞれ送信される送信信号の衛星間における受信時刻差に基づいて、自装置の位置を算出する。
（ｉｉ−ｂ）記憶部１６に予め、基地局装置毎のセルＩＤ（Ｉｄｅｎｔｉｆｉｅｒ）と位置を示す位置情報とを対応付けて形成された位置データを記憶しておく。外部条件判定部１４８は、第１基地局装置２０ａから受信した第１受信信号に含まれる報知情報から、第１基地局装置２０ａのセルＩＤを抽出し、抽出したセルＩＤに対応する位置情報を位置データから読み出す。
【００６７】
また、端末装置１０が、検出部１７として、その周囲の気象現象に関する物理量を検出するセンサを備える場合には、センサは、検出した物理量を外部条件判定部１４８に出力する。外部条件判定部１４８は、検出部１７から入力された物理量から現時点又は現時点から所定時間（例えば、５〜１５分）後までの予想期間内の天候を所定のパターン認識方式を用いて判定してもよい。物理量として、例えば、湿度、温度の一方又は両方が用いられてもよい。パターン認識方式として、例えば、多階層ニューラルネットワークが用いられてもよい。外部条件判定部１４８は、判定した天候が所定の天候であるとき、判定基準を満足しないと判定し、受信した天候情報が示す天候が所定の天候に該当しないとき、判定基準を満足すると判定する。
【００６８】
（ｉｉｉ）移動状態情報として、第２基地局装置２０ｂから端末装置１０への第２伝送方式に基づく伝送に係る伝送品質を阻害する所定の移動状態、例えば、速度が所定の速度よりも高い状態を判定できればよい。また、端末装置１０の移動速度が高い場合には、各第２エリアに在圏している時間が短くなりがちである。記憶部１６には、所定の移動速度（例えば、時速２０−３０ｋｍ／ｈ）を判定基準値として示す判定基準情報を予め記憶しておく。検出部１７は、感度軸毎の加速度を検出する３軸の加速度センサを備えてもよい。その場合、加速度センサは、検出した加速度を外部条件判定部１４８に出力する。外部条件判定部１４８は、検出部１７から入力される各軸方向の加速度を積分して速度を算出する。外部条件判定部１４８は、算出した各軸方向の速度の軸方向間の二乗和の平方根を軸方向間で総合した移動速度として算出する。外部条件判定部１４８は、算出した移動速度が所定の移動速度よりも高いとき、判定基準を満足しないと判定し、算出した移動速度が所定の移動速度以下であるとき、判定基準を満足すると判定する。
なお、外部条件判定部１４８は、上記のＧＰＳ衛星からの送信信号に基づいて算出した自装置の位置を所定時間（例えば、１〜３秒）毎に取得し、所定時間毎の位置の変化率を移動速度として算出してもよい。
【００６９】
（ｉｖ）第２基地局装置２０ｂへの接続数とは、第２基地局装置２０ｂと第２接続方式を用いて接続している端末装置１０の数、つまり、第２基地局装置２０ｂを用いて差分映像情報を受信する端末装置１０の密集度を示す指標値である。第２基地局装置２０ｂの通信制御部２６２は、その時点において接続している端末装置の数を接続数として計数することができる。一度に多数の端末装置１０と接続し、差分映像情報をはじめとする大容量のデータを送受信すると、第２接続方式により各種のデータの送受信に用いられる周波数帯域（無線リソース）が不足するおそれがある。そのため、接続数が多い場合には、差分映像情報の伝送を行わないことが望まれる。そこで、記憶部１６には、所定の接続数の閾値を判定基準値として示す判定基準情報を記憶しておく。
【００７０】
第２基地局装置２０ｂに接続されているとき、外部条件判定部１４８は、所定時間（例えば、１〜２分）毎に接続数を取得する。ここで、外部条件判定部１４８は、例えば、通信処理部１４２を介して接続数要求を所定時間毎に第２基地局装置２０ｂに送信する。接続数要求とは、その時点における接続数を要求するための信号である。第２基地局装置２０ｂの通信制御部２６２は、端末装置１０から受信した接続数要求に対する応答として、その時点における接続数を端末装置１０に送信する。外部条件判定部１４８は、第２基地局装置２０ｂから接続数を受信し、受信した接続数が判定基準値未満であるとき、判定基準を満足すると判定し、取得した接続数が判定基準値以上であるとき、判定基準を満足していないと判定する。
【００７１】
なお、接続数は、第２エリア内の端末装置１０を所持するユーザの通行状態により変動しうる。例えば、繁華街、競技、娯楽施設、など多くの人が集まる領域は、接続数の変動が大きいうえ、接続されている端末装置１０の全てが大容量のデータの送受信を試みると、さらに無線リソースが不足するおそれが強くなる。そこで、外部条件判定部１４８は、最新の接続数と、前回受信した接続数から最新の接続数への変化量から得られる接続数の変化率を用いて、その時点から所定時間（例えば、２〜５分）後の接続数を予測接続数として算出してもよい。外部条件判定部１４８は、算出した予測接続数が判定基準値未満であるとき、判定基準を満足すると判定し、取得した予測接続が判定基準値以上であるとき、判定基準を満足していないと判定する。これにより、接続数の増加により判定基準値以上になることが見込まれる場合には、差分映像情報の受信が行われず、接続数の減少により判定基準値未満になることが見込まれる場合には、差分映像情報の受信が行われる。
なお、接続数として計数対象とする端末装置１０は、１つの映像コンテンツに係る差分映像情報の送信先の端末装置１０に限られず、他の映像コンテンツに係る差分映像情報、その他のデータの送信先となる端末装置１０も含まれてもよい。
【００７２】
なお、外部条件判定部１４８は、上述の指標値（例えば、受信電力、信号対雑音比、搬送波対雑音比パケット損失率、符号化誤り率、ピーク電力対平均電力比、移動速度、接続数、など）が判定基準値を交差する頻度（以下、「交差頻度」と呼ぶ）を所定期間（例えば、１〜２分）毎に計数してもよい。外部条件判定部１４８は、計数した交差頻度が、所定の交差頻度の閾値よりも多い場合には、指標値に関わらず判定基準を満足していないと判定してもよい。指標値が判定基準値を交差するとは、指標値が判定基準値未満である状態から判定基準値以上となる状態への第１の変化と、指標値が判定基準値以上である状態から判定基準値未満となる状態への第２の変化とが繰り返すことを意味する。指標値に関わらず判定基準を満足していないと判定することで、差分映像の取得に成功する状態と失敗する状態とが繰り返されることが回避される。そのため、その繰り返しの度に再生映像の品質の変化が回避されるので、再生映像を視認するユーザに対する不快感を解消又は低減することができる。
【００７３】
（映像受信処理）
次に、本実施形態に係る映像受信処理の一例について説明する。
図６は、本実施形態に係る映像受信処理の一例を示すフローチャートである。
図６は、端末装置１０が、第１伝送方式を用いて第１映像情報を受信している段階から、第２映像を再生するまでの一連の処理を例にする。
（ステップＳ２０２）端末装置１０の通信処理部１４２は、第１基地局装置２０ａと接続が確立し、第１伝送方式を用い各種のデータを受信可能とする。端末装置１０の通信処理部１４２は、第１映像情報要求を第１基地局装置２０ａを介して映像サーバ装置に送信する。
（ステップＳ２０４）通信処理部１４２は、映像サーバ装置から第１基地局装置２０ａを介して第１映像情報を逐次に受信し、受信した第１映像情報を自部が備えるバッファ部を介して映像処理部１４６に出力する。映像処理部１４６は、通信処理部１４２から入力される第１映像情報に含まれる符号化データを復号し、復号により得られる第１映像を示す第１映像データを再生映像データとして映像再生部１８に出力する。
【００７４】
（ステップＳ２０６）通信制御部１４４は、通信処理部１４２から入力される第２伝送状態情報に基づいて自装置が第２エリアに在圏しているか否かを判定する。第２エリアに在圏していると判定するとき、通信制御部１４４は、第２基地局装置２０ｂとの間で接続処理を行う。接続処理が完了した後、外部条件判定部１４８は、記憶部１６から判定基準情報を読み出す。
（ステップＳ２０８）外部条件判定部１４８は、外部条件情報を取得する。
（ステップＳ２１０）外部条件判定部１４８は、外部条件情報が示す外部条件が、読み出した判定基準情報が示す判定基準を満足するか否かを判定する。外部条件判定部１４８が判定基準を満足すると判定する場合（ステップＳ２１０  ＹＥＳ）、ステップＳ２１２の処理に進む。外部条件判定部１４８が判定基準を満足しないと判定する場合（ステップＳ２１０  ＮＯ）、ステップＳ２２０の処理に進む。
【００７５】
（ステップＳ２１２）通信制御部１４４は、第２伝送方式を用いて受信される第２映像情報を併用すると判定する。
（ステップＳ２１４）通信制御部１４４は、受信中の第１映像情報と共通の映像コンテンツに係る差分映像情報要求を、通信処理部１４２と第２基地局装置２０ｂを介して映像サーバ装置に送信する。
（ステップＳ２１６）通信処理部１４２は、映像サーバ装置から第２基地局装置２０ｂを介して差分映像情報を逐次に受信し、受信した映像情報を自部が備えるバッファ部を介して映像処理部１４６に出力する。
（ステップＳ２１８）映像処理部１４６は、通信処理部１４２から入力される差分映像情報に含まれる符号化データを復号し、復号により得られる差分映像を示す差分映像データと、第１映像を示す第１映像データとを合成する。映像処理部１４６は、合成により得られる第２映像を示す第２映像データを再生映像データとして映像再生部１８に逐次に出力する。
（ステップＳ２２０）映像再生部１８は、映像処理部１４６から入力される再生映像データが示す映像を再生する。
【００７６】
（映像受信処理）
次に、本実施形態に係る映像受信処理の他の例について説明する。
図７は、本実施形態に係る映像受信処理の他の例を示すフローチャートである。
図７は、端末装置１０が、第１伝送方式を用いて第１映像情報を受信し、第２伝送方式を用いて差分映像情報を受信している段階から、第２映像を再生するまでの一連の処理を例にする。なお、ステップＳ３１２、ステップＳ３１４−Ｓ３１８の処理は、それぞれステップＳ２１２、ステップＳ２１６−Ｓ２２０（図６）の処理と同様であるため、それらの説明を援用する。
【００７７】
（ステップＳ３０２）端末装置１０の通信処理部１４２は、第１基地局装置２０ａ、第２基地局装置２０ｂとそれぞれ接続が確立し、第１伝送方式、第２伝送方式を用いて各種のデータを受信可能とする。
（ステップＳ３０４）通信処理部１４２は、映像サーバ装置から第１基地局装置２０ａを介して第１映像情報を逐次に受信し、受信した第１映像情報を自部が備えるバッファ部を介して映像処理部１４６に出力する。映像処理部１４６は、通信処理部１４２から入力される第１映像情報に含まれる符号化データを復号し、復号により得られる第１映像を示す第１映像データを再生映像データとして映像再生部１８に出力する。
【００７８】
（ステップＳ３０６）外部条件判定部１４８は、記憶部１６から判定基準情報を読み出す。
（ステップＳ３０８）外部条件判定部１４８は、外部条件情報を取得する。
（ステップＳ３１０）外部条件判定部１４８は、外部条件情報が示す外部条件が、読み出した判定基準情報が示す判定基準を満足するか否かを判定する。外部条件判定部１４８が判定基準を満足すると判定する場合（ステップＳ３１０  ＹＥＳ）、ステップＳ３１２の処理に進む。外部条件判定部１４８が判定基準を満足しないと判定する場合（ステップＳ３１０  ＮＯ）、ステップＳ３１８の処理に進む。
【００７９】
なお、ステップＳ２０６、Ｓ３０８において、外部条件判定部１４８は、記憶部１６から判定基準情報を読み出す処理は、端末装置１０の動作中に少なくとも１回実行された後で、省略されてもよい。
【００８０】
（変形例）
なお、図８に示すように、第２基地局装置２０ｂの制御部２６は、外部条件判定部２６６をさらに備え、端末装置１０（図５）において外部条件判定部１４８が省略されてもよい。外部条件判定部２６６は、特に断らない限り上記の外部条件判定部１４８と同様の機能を有する。
端末装置１０の制御部１４は、外部条件情報を取得し、取得した外部条件情報を第２基地局装置２０ｂに送信する。第２基地局装置２０ｂの外部条件判定部２６６は、端末装置１０から外部条件情報を受信する。また、外部条件判定部２６６は、記憶部２８に予め記憶された判定基準情報を読み出す。
但し、外部条件判定部２６６は、第２基地局装置２０ｂの他の構成部が取得可能とする外部条件情報を採用する場合には、端末装置１０を介さずに、その構成部から外部条件情報を取得してもよい。例えば、通信制御部２６２は、計数した接続数を端末装置１０に送信せずに、外部条件判定部２６６に出力する。外部条件判定部２６６には、通信制御部２６２から接続数が入力される。
【００８１】
外部条件判定部２６６は、取得した外部条件情報が示す外部条件が、読み出した判定基準情報が示す判定基準を満足するか否かを判定する。外部条件判定部２６６は、判定基準を満足すると判定するとき、第２伝送方式を用いて差分映像情報を端末装置１０に送信すると判定し、通信処理部２６４を介して映像サーバ装置に差分映像情報要求を送信する。通信処理部２６４は、差分映像情報要求に対する応答として映像サーバ装置から差分映像情報を逐次に受信し、受信した差分映像情報を端末装置１０に送信する。
外部条件判定部２６６は、判定基準を満足しないと判定するとき、第２伝送方式を用いて差分映像情報を端末装置１０に送信しないと判定し、通信処理部２６４を介して映像サーバ装置に差分映像情報停止要求を送信する。通信処理部２６４は、映像サーバ装置からの差分映像情報の受信を停止し、差分映像情報の端末装置１０への送信を停止する。
【００８２】
次に、本変形例に係る映像受信処理の一例について説明する。
図９は、本変形例に係る映像受信処理の一例を示すシーケンス図である。但し、図９に示す処理は、端末装置１０の制御部１４が外部条件情報を取得し、取得した外部条件情報を第２基地局装置２０ｂに送信する場合を例にする。また、図９に示す例では、ステップＳ４０４の前に第１映像情報要求が送受信されたことを前提とするが、ステップＳ４０２、Ｓ４０４−Ｓ４１２の処理は、ステップＳ１０２、Ｓ１０６−Ｓ１１４（図４）と同様であるため、その説明を援用する。
（ステップＳ４１４）第２基地局装置２０ｂの外部条件判定部２６６は、記憶部２８から判定基準情報を読み出す。
（ステップＳ４１６）端末装置１０の制御部１４は、外部条件情報を取得し、取得した外部条件情報を第２基地局装置２０ｂに送信する。
（ステップＳ４１８）第２基地局装置２０ｂの外部条件判定部２６６は、端末装置１０から外部条件情報を取得する。
【００８３】
（ステップＳ４２０）外部条件判定部２６６は、外部条件情報が示す外部条件が、読み出した判定基準情報が示す判定基準を満足するか否かを判定する。外部条件判定部２６６が判定基準を満足すると判定する場合（ステップＳ４２０  ＹＥＳ）、ステップＳ４２２の処理に進む。外部条件判定部２６６が判定基準を満足しないと判定する場合（ステップＳ４２０  ＮＯ）、第２基地局装置２０ｂにおける図９の処理を終了する。
（ステップＳ４２２）外部条件判定部２６６は、第２伝送方式を用いて差分映像情報を端末装置１０に送信すると判定し、通信処理部２６４を介して映像サーバ装置に差分映像情報要求を送信する。
（ステップＳ４２４）通信処理部２６４は、映像サーバ装置から逐次に受信する差分映像情報を端末装置１０に送信する。
【００８４】
（ステップＳ４２６）端末装置１０の通信処理部１４２が第２基地局装置２０ｂから差分映像情報を受信する場合（ステップＳ４２６  ＹＥＳ）、受信した差分映像情報を映像処理部１４６にバッファ部を介して出力する。その後、ステップＳ４２８の処理に進む。通信処理部１４２が第２基地局装置２０ｂから差分映像情報を受信しない場合（ステップＳ４２６  ＮＯ）、ステップＳ４３０の処理に進む。
（ステップＳ４２８）端末装置１０の映像処理部１４６は、通信処理部１４２から入力される差分映像情報であって、第１映像情報と再生時刻が同一である差分映像情報に含まれる符号化データを復号し、差分映像を示す差分映像データを生成する。映像処理部１４６は、第１映像を示す第１映像データと、差分映像を示す差分映像データを合成して、第２映像を示す第２映像データを生成し、再生映像データとして第２映像データを映像再生部１８に出力する。
（ステップＳ４３０）映像再生部１８は、映像処理部１４６から入力される再生映像データが示す映像を再生する。
【００８５】
以上に説明したように、端末装置１０は、通信部１２、外部条件判定部１４８及び映像処理部１４６を備える。また、通信部１２は、第１伝送方式を用いて第１品質を有する映像情報を受信可能とし、第１伝送方式よりも伝送容量が大きい第２伝送方式を用いて差分映像情報を受信可能とする。外部条件判定部１４８は、第２伝送方式の伝送状態又は当該伝送状態に影響する条件を示す外部条件情報に基づいて差分映像情報の受信の可否を判定する。映像処理部１４６は、映像情報と受信した差分映像情報とから第１品質よりも高い第２品質を有する第２映像情報を生成する。
この構成により、第２伝送方式の伝送状態に応じて差分映像情報の受信の可否が判定されるので、第２伝送方式を利用できるか否かに基づいて受信の可否を判定するよりも差分映像情報を安定して受信することができる。従って、再生される映像の品質が第１品質と第２品質との間で切り替わる現象が抑制され、映像を視認するユーザの不快感を低減することができる。
【００８６】
また、外部条件判定部１４８は、外部条件情報が示す第２伝送方式の伝送品質が所定の伝送品質よりも高いとき差分映像情報を受信可と判定する。
この構成により、第２伝送方式の伝送品質が高いとき、受信した差分映像情報に基づく第２映像が再生され、伝送品質が低いときに差分映像情報の受信が行われずに第１映像が再生される。そのため、受信した差分映像情報から再生される映像の品質が第１品質と第２品質との間で切り替わる可能性が少なくなるので、映像を視認するユーザの不快感がより低減する。また、端末装置１０宛の伝送品質が低いときに第２伝送方式を用いることでのネットワーク負荷が低減するのでシステム全体とし差分映像情報の伝送品質を維持することができる。
【００８７】
また、外部条件判定部１４８は、外部条件情報として自装置の位置を含む領域における天候に関する天候情報を取得し、天候情報が所定の天候を示すとき差分映像情報を受信否と判定する。
この構成により、第２伝送方式の伝送品質を低下させる天候になるとき、差分映像情報を受信せずに第１映像が再生される。そのため、天候により再生される映像の品質が第１品質と第２品質との間で切り替わる可能性が少なくなるので、映像を視認するユーザの不快感がより低減する。
【００８８】
また、外部条件判定部１４８は、外部条件情報として、自装置である端末装置１０の移動状態情報を取得し、移動状態情報が示す速度が所定の速度よりも高いとき差分映像情報を受信否と判定する。
この構成により、移動速度が高いときに差分映像情報を受信できる第２エリアを通過する時間が短くなることや、移動速度が高いときの伝送品質の低下によって生じがちな、再生される映像の品質の切り替わりが抑制される。そのため、映像を視認するユーザの不快感がより低減する。
【００８９】
また、外部条件判定部１４８は、外部条件情報として、第２伝送方式を用いて接続された第２基地局装置２０ｂから、当該第２基地局装置２０ｂに接続された端末装置１０の数である接続数を外部条件情報として取得し、接続数が所定の接続数よりも多いとき差分映像情報を受信否と判定する。
この構成により、接続数が多いときに生じがちな伝送品質の低下時に、再生される映像の品質の切り替わりが抑制される。そのため、映像を視認するユーザの不快感がより低減する。
【００９０】
また、外部条件判定部１４８は、外部条件情報が示す指標値が差分映像情報の受信可否の判定の基準値を交差する頻度を計数し、計数した頻度が所定の頻度よりも多いとき前記差分映像情報を受信否と判定する。
この構成により、差分映像情報を受信する状態と、受信しない状態とが頻繁に切り替わる可能性があるときに、差分映像情報を受信せずに第１映像が再生される。そのため、再生される映像の品質が第１品質と第２品質との間で切り替わる可能性が少なくなるので、映像を視認するユーザの不快感がより低減する。
【００９１】
なお、上記の説明では、外部条件判定部１４８は、取得した外部条件情報が判定基準情報で判定基準を満足する場合、差分映像情報を受信すると判定し、取得した外部条件情報が判定基準情報で判定基準を満足しない場合、差分映像情報を受信しないと判定する場合を例にしたが、これには限られない。
外部条件判定部１４８は、取得した外部条件情報が判定基準情報で判定基準を満足する場合、差分映像データと第１映像データとを合成すると判定し、取得した外部条件情報が判定基準情報で判定基準を満足しない場合、差分映像データと第１映像データとを合成しないと判定してもよい。そして、外部条件判定部１４８は、差分映像データと第１映像データとの合成の可否を示す合成制御情報を映像処理部１４６に出力する。
【００９２】
映像処理部１４６は、外部条件判定部１４８から差分映像データと第１映像データとの合成（合成可）を示す合成制御情報を入力するとき、第１映像情報に基づく第１映像データと差分映像情報に基づく差分映像データを合成して第２映像を示す第２映像データを生成する。映像処理部１４６は、生成した第２映像データを再生映像データとして映像再生部１８に出力する。
他方、映像処理部１４６は、外部条件判定部１４８から差分映像データと第１映像データとを合成しないこと（合成否）を示す合成制御情報を入力するとき、第１映像情報に基づく第１映像データと差分映像情報に基づく差分映像データとの合成を行わずに、第１映像を示す映像データを再生映像データとして映像処理部１４６に出力する。第１映像データと差分映像データとの合成を行わない場合には、映像処理部１４６は、たとえ通信処理部１４２を介して差分映像情報が受信できたとしても、差分映像情報もしくは差分映像情報に基づく差分映像データを棄却する。例えば、受信した差分映像情報の品質が劣悪なとき、その差分映像情報に基づく差分映像データを棄却することで、第１映像データとの差分映像データとの合成が回避される。
この一連の処理によっても、取得した外部条件情報が判定基準情報で判定基準を満足する場合、第２映像を示す第２映像データが再生映像データとして生成され、取得した外部条件情報が判定基準情報で判定基準を満足しない場合、第１映像を示す第１映像データが再生映像データとして生成される。
【００９３】
（第３の実施形態）
次に、本発明の第３の実施形態について説明する。以下の説明では、第１の実施形態との差異点を主とする。第１の実施形態と同一の構成については、特に断らない限り同一の符号を付してその説明を援用する。
【００９４】
本実施形態に係る第２基地局装置２０ｂの通信制御部２６２は、自装置と接続している端末装置１０のうち、通信処理部２６４が差分映像情報の送信先とする端末装置１０の数を、差分映像提供数として計数する。差分映像提供数は、第２の実施形態に係る接続数に相当する。送信される差分映像情報の映像コンテンツは、差分映像提供数の計数対象とする端末装置１０間で、必ずしも共通でなくてもよく、一部の端末装置１０と他の端末装置１０との間で異なってもよい。差分映像提供数を計数するタイミングは、通信制御部２６２がいずれかの端末装置１０からの差分映像情報要求の受信もしくは差分映像情報停止要求の受信から所定の処理時間以内であってもよい。所定の処理時間は、差分映像情報要求の受信から差分映像情報の送信開始までの時間と差分映像情報停止要求の受信から差分映像情報の送信停止までの時間のうち、いずれか長い方の時間より長ければよい。
【００９５】
通信制御部２６２は、差分映像提供数が所定の差分映像提供数の閾値よりも少ないとき、各送信先への差分映像情報の送信方式をユニキャストに定め、差分映像提供数が所定の差分映像提供数の閾値以上になるとき、各送信先への差分映像情報の送信方式をマルチキャストに定める。ユニキャストは、個々の送信先を指定してデータを送信することを意味する。インターネットプロトコルスイートのもとでは、ユニキャストにおいて用いられる通信プロトコルは、主にＴＣＰ（Ｔｒａｎｓｍｉｓｓｉｏｎ  Ｃｏｎｔｒｏｌ  Ｐｒｏｔｏｃｏｌ）である。ＴＣＰでは、誤り検出と再送制御が行われるため、後述するＵＤＰ（Ｕｓｅｒ  Ｄａｔａｇｒａｍ  Ｐｒｏｔｏｃｏｌ）よりも高い伝送品質が担保されるが、ネットワーク負荷が大きくなる。マルチキャストは、２以上の特定の送信先に共通の送信データを送信することを意味する。インターネットプロトコルスイートのもとでは、マルチキャストにおいて用いられる通信プロトコルは、主にＵＤＰである。ＵＤＰでは、誤り検出と再送制御が行われないため、ＴＣＰよりもネットワーク負荷が少なくなるが、伝送品質は担保されない。
【００９６】
なお、第２基地局装置２０ｂと接続されている端末装置１０の数が２台以上となる場合には、通信制御部２６２は、複数の映像コンテンツのそれぞれについて、差分映像情報の送信方式を定める。例えば、接続されている端末装置１０の数が３台以上となる場合には、２種類の映像コンテンツのそれぞれについて、送信方式が定められる。本実施形態では、マルチキャストでの送信とは、本来の意味とは異なるが、１つの映像コンテンツの送信先の端末装置１０の数が１台である場合であっても、誤り検出と再送制御を伴わない伝送プロトコルとしてＵＤＰを用いて送信することを意味するものとする。送信先の端末装置１０の数が１台であっても、伝送プロトコルとしてＵＤＰを用いることで、誤り検出と再送制御を伴うＴＣＰを用いた送信よりもネットワーク負荷が低減される。
また、通信制御部２６２は、差分映像情報に受信品質の担保を示す品質情報が付加されている場合には、差分映像提供数に関わらず、その送信先への送信方式をユニキャストに定めてもよい。これにより、受信品質が担保される。
【００９７】
なお、送信先となる１台の端末装置１０当たりの差分映像情報のチャネル数は、１チャネルに限らず、２チャネル以上となってもよい。チャネル毎に異なる映像コンテンツの差分映像情報が送信されうる。そこで、通信制御部２６２は、通信処理部２６４が差分映像情報を送信するチャネルの端末装置１０間の総数を差分映像提供数として計数してもよい。また、通信制御部２６２は、チャネル毎の差分映像情報に付加された品質情報に基づいて、上述の送信方式の判定を行う。
【００９８】
（送信処理）
次に、本実施形態に係る送信処理の一例について説明する。図１０は、本実施形態に係る送信処理の一例を示すフローチャートである。
（ステップＳ５０２）第２基地局装置２０ｂの通信制御部２６２は、端末装置１０から第２接続要求を受信し、第２エリアへの端末装置１０の進入を認識し、端末装置１０の通信制御部１４４との間で接続処理を行う。その後、端末装置１０の通信処理部１４２と第２基地局装置２０ｂの通信処理部２６４とは、第２伝送方式を利用した各種情報の送受信が可能となる。
（ステップＳ５０４）通信処理部２６４は、進入した端末装置１０から差分映像情報要求を受信し、受信した差分映像情報要求を映像サーバ装置に送信する。その後、通信処理部２６４は、差分映像情報要求に対する応答として、差分映像情報を映像サーバ装置から逐次に受信する。
（ステップＳ５０６）通信制御部２６２は、通信処理部２６４が差分映像情報を送信する端末装置１０もしくはチャネルの数を差分映像提供数として計数する。計数する差分映像提供数には、新たに差分映像情報要求の送信元となる端末装置１０もしくはチャネルが含まれてもよい。通信制御部２６２は、計数した差分映像提供数が、所定の差分映像提供数の閾値よりも少ないか否かを判定する。所定の差分映像提供数の閾値よりも少ないと判定する場合（ステップＳ５０６  ＹＥＳ）、ステップＳ５１０の処理に進む。通信制御部２６２は、所定の差分映像提供数の閾値以上と判定する場合、ステップＳ５０８の処理に進む。
【００９９】
（ステップＳ５０８）映像サーバ装置から受信する差分映像情報に受信品質の担保を示す品質情報が付加されているか否かを判定する。付加されている差分映像情報について（ステップＳ５０８  ＹＥＳ）、ステップＳ５１０の処理に進む。付加されていない差分映像情報について（ステップＳ５０８  ＮＯ）、ステップＳ５１２の処理に進む。
（ステップＳ５１０）通信制御部２６２は、差分映像情報の端末装置１０への送信方式をユニキャストと定める。通信処理部２６４は、ユニキャストで差分映像情報を送信する。
（ステップＳ５１２）通信制御部２６２は、差分映像情報の端末装置１０への送信方式をマルチキャストと定める。
【０１００】
以上に説明したように、本実施形態に係る第２基地局装置２０ｂの通信制御部２６２は、自装置と接続している端末装置１０のうち、通信処理部２６４が差分映像情報の送信先とする端末装置１０の数を、差分映像提供数として計数する。通信制御部２６２は、差分映像提供数が所定の差分映像提供数よりも少ない場合には、各端末装置１０への差分映像情報をユニキャストで伝送すると判定し、各端末装置１０への差分映像情報をマルチキャストで伝送すると判定する。
この構成により、差分映像提供数が多い場合には、マルチキャストを利用することでネットワーク負荷を低減し、システム全体として差分映像情報の伝送品質の低下を抑制することができる。他方、差分映像提供数が少ない場合には、ユニキャストを利用することで、個々の端末装置１０に送信される差分映像情報、ひいては第２映像の品質を担保することができる。
【０１０１】
また、通信制御部２６２は、送信する差分映像情報に品質担保を示す品質情報が付加されている場合には、送信先の端末装置１０にユニキャストを利用して差分映像情報を伝送すると判定する。
この構成により、映像コンテンツの提供者の意図に応じて第２映像の品質を担保することができる。
【０１０２】
（変形例）
以上、図面を参照してこの発明の実施形態について説明してきたが、具体的な構成は上述のものに限られることはなく、この発明の要旨を逸脱しない範囲内において様々な設計変更等をすることが可能である。
例えば、第３の実施形態に係る第２基地局装置２０ｂの通信制御部２６２による差分映像情報の伝送方式の選択は、第２の実施形態に係る第２基地局装置２０ｂに適用されてもよい。
また、上述の実施形態では、第１基地局装置２０ａと第２基地局装置２０ｂは、別個の基地局装置である場合を例にしたが、これには限られない。第１基地局装置２０ａと第２基地局装置２０ｂは、いずれの機能を有するように一体化された単一の基地局装置として実現されてもよい。即ち、その単一の基地局装置は、第１基地局通信部を用いて第１伝送方式により第１映像情報を端末装置１０に送信し、第２基地局通信部を用いて第２伝送方式により差分映像情報を端末装置１０に送信する。また、第１基地局通信部と第２基地局通信部は、いずれの機能を有するように一体化された第１通信部２２として実現されてもよい。また、その単一の基地局装置が備える第２通信部２４の数は、１個であってもよい。１個の第２通信部２４は、第１映像情報と差分映像情報を含む各種のデータをサーバ装置との間で送受信する。
また、上述の実施形態では、第１の伝送方式が主に４Ｇである場合を例にしたが、これには限られない。第１の伝送方式は、第１映像情報を伝送可能であれば、差分映像情報を伝送可能とする第２の伝送方式、例えば、３Ｇであってもよい。また、本明細書に記載の「通信」とは、双方向で各種の情報を伝送することに限らず、送信先を特定せずに一方的に情報を伝送する「放送」の概念も含まれうる。第１の伝送方式は、通信方式に限られず、テレビジョン放送における放送方式として採用されている方式、例えば、ＭＭＴ−ＴＬＶ（ＭＰＥＧ  Ｍｅｄｉａ  Ｔｒａｎｓｐｏｒｔ−Ｔｙｐｅ−Ｌｅｎｇｔｈ−Ｖａｌｕｅ）方式であってもよい。第１の伝送方式が、放送方式として採用している方式である場合には、端末装置１０の通信部１２は、第１無線部１２２に代えて、放送受信部（図示せず）を備えてもよく、第１基地局装置２０ａは、必ずしも無線通信システムを構成する基地局装置に限られず、放送事業者が管理する放送設備であってもよい。放送受信部は、当該放送設備から伝送された放送波を第１受信信号として受信し、復調した第１受信信号を通信処理部１４２に出力する。
なお、第２映像情報が示す第２映像は、品質の指標として解像度に代えて、もしくは解像度に加えて輝度範囲が第１映像よりも広い映像であってもよいし、フレームレートが第１映像よりも高い映像であってもよい。
また、端末装置１０の制御部１４が、映像再生部１８と操作部１９の一方又は両方との間で、各種のデータを送受信可能であれば、その一方又は両方とは、端末装置１０とは別体であってもよい。
【符号の説明】
【０１０３】
Ｓ１…伝送システム、１０…端末装置、１２…通信部、１４…制御部、１６…記憶部、１７…検出部、１８…映像再生部、１９…操作部、２０（２０ａ、２０ｂ）…基地局装置、２２…第１通信部（第１基地局通信部、第２基地局通信部）、２４…第２通信部、２６…制御部（第１基地局制御部、第２基地局制御部）、２８…記憶部、１２２…第１無線部（第１通信部）、１２４…第２無線部（第２通信部）、１４２…通信処理部、１４４…通信制御部、１４６…映像処理部、１４８…外部条件判定部、２６２…通信制御部、２６４…通信処理部、２６６…外部条件判定部
【図１】
2019103094.tif 000003
【図２】
2019103094.tif 000004
【図３】
2019103094.tif 000005
【図４】
2019103094.tif 000006
【図５】
2019103094.tif 000007
【図６】
2019103094.tif 000008
【図７】
2019103094.tif 000009
【図８】
2019103094.tif 000010
【図９】
2019103094.tif 000011
【図１０】
2019103094.tif 000012